(57)【要約】【課題】ペニスの出し入れに手間がかゝらないため排尿がスムーズにでき、頻尿や前立腺疾患などの症状に対応できる男性用パンツを提供すること。【解決手段】本体１の正面中心部に、上端が伸縮式履き口４の近傍に及ぶとともに下端が股間部２に至る開閉自在な線状開口部３を形成し、股間部２に基部５ａを固着し、線状開口部３の前面を覆う帯状片５の上端裏側に着脱自在の布製テープ６を固着し、基部５ａを支点に帯状片５を引き上げて布製テープ６が本体１に密着すると線状開口部３の前面が帯状片５によってカバーされ、布製テープ６が本体１より離れると帯状片５が基部５ａを支点に前方へ傾倒して線状開口部３の前面が開放される。【選択図】          図１
2004270117.tif 000002
【特許請求の範囲】
【請求項１】
股間部を中心として左右を対称に形成した男性用パンツの開閉構造において、本体の正面中心部に、上端が伸縮式履き口の近傍に及ぶとともに下端が股間部に至る開閉自在な線状開口部を形成し、股間部に基部を固着した、線状開口部を覆う帯状片の上端裏側に着脱自在の布製テープを固着し、基部を支点に帯状片を引き上げて布製テープが本体に密着すると線状開口部の前面が帯状片によってカバーされ、布製テープが本体より離れると帯状片が基部を支点に前方へ傾倒して線状開口部前面が開放されることを特徴とする男性用パンツの開閉構造。
【請求項２】
股間部を中心として左右を対称に形成した男性用パンツの開閉構造において、本体の正面中心部に、上端が履き口の近傍に及ぶとともに下端が股間部に至る開閉自在な線状開口部を形成し、該線状開口部と略等長で且つ本体と同材で形成するとともに中心部の左右いずれかに基部を固着して水平方向に開閉するカバー片の裏側周縁部に着脱自在の布製テープを固着し、基部を支点にカバー片を閉じて布製テープが本体に密着すると線状開口部の前面が閉じられ、布製テープが本体より離れるとカバー片が基部を支点に反転することで線状開口部の前面が開放されることを特徴とする男性用パンツの開閉構造。
【発明の詳細な説明】
【０００１】
【発明の属する技術分野】
本発明は、ペニスの出し入れを容易とした男性用パンツの開閉構造に関する。
【０００２】
【従来の技術】
前立腺肥大等の症状や老化などによって生理機能が衰えると、尿意を我慢できる時間が短くなったり頻尿になるケースは避けられず、その場合パンツからペニスを速やかに出して排尿することが望まれる。そのために従来、例えば特開２００３−４１４１３号の公報記載のように、パンツの前開き個所を最大限長く形成してペニスの出し入れを楽にすることを意図した技術がある。この技術は前開き部を股下縫い目の位置、すなわち股間部まで下げることによりパンツの下方に位置するペニス先端が従来よりも容易に外部に出せることを意図している。
【０００３】
また、前開き部の留具をボタン式からマジックテープ（商標名）に替えて、排尿時の手間がかゝらないようにした技術（例えば特開２０００−１１９９０１号公報参照）もある。マジックテープは着脱が容易なため、前開き部が迅速に開閉できてペニスの出し入れに時間がかゝらないという効果を所期している。
【０００４】
【発明が解決しようとする課題】
上記した従来パンツのうち前者は、前開き個所を単に長く形成したというものでパンツそれ自体は旧来のものと何ら変わらず、ペニスの出し入れには横側から手を差し入れるという煩わしい動作を要する点では従来同様の問題が残る。そこでパンツの正面に直接切込状の開口部を形成することも考えられるが、体裁が悪いだけでなく内部が見えてしまうといった問題がある。
【０００５】
また後者の従来パンツも、ボタンをマジックテープに替えたにすぎず、その点では前者と同様パンツそれ自体の構造に目新しいものはなく、ペニスの出し入れも従来同様であって緊急排尿時には対応が難しいという不具合がある。
【０００６】
【課題を解決するための手段】
本発明は従来パンツの実情に鑑みてなされたもので、排尿時におけるペニスの取り出しに手間がかゝらないようにパンツ正面に開口部を形成して迅速にペニスの取り出しができ、使用時以外は正面がカバーされることで体裁がよく、作製が容易で頻尿、前立腺疾患などの症状に好適する男性用パンツの開閉構造を提供することを目的としている。
【０００７】
そこで本発明は、股間部を中心として左右を対称に形成した男性用パンツの開閉構造において、本体１の正面中心部に、上端が伸縮式履き口４の近傍に及ぶとともに下端が股間部２に至る開閉自在な線状開口部３を形成し、股間部２に基部５ａを固着し、線状開口部３の前面を覆う帯状片５の上端裏側に着脱自在の布製テープ６を固着し、基部５ａを支点に帯状片５を引き上げて布製テープ６が本体１に密着すると線状開口部３の前面が帯状片５によってカバーされ、布製テープ６が本体１より離れると帯状片５が基部５ａを支点に前方へ傾倒して線状開口部３前面が開放される構成とした。
【０００８】
また本発明は請求項２のように、本体１１の正面中心部に、上端が履き口１４の近傍に及ぶとともに下端が股間部１２に至る開閉自在な線状開口部１３を形成し、該線状開口部１３と略等長で且つ本体１と同材で形成するとともに中心部の左右いずれかに基部１５ａを固着して水平方向に開閉するカバー片１５の裏側周縁部に着脱自在の布製テープ１６を固着し、基部１５ａを支点にカバー片１５を閉じて布製テープ１６が本体１１に密着すると線状開口部１３の前面が閉じられ、布製テープ１６が本体１１より離れるとカバー片１５が基部１５ａを支点に反転して線状開口部１３の前面が開放される構成とすることで、両足の長い外側用パンツとして好適する。
【０００９】
【発明の実施の形態】
図面に基づき本発明の実施の形態を説明する。図１は本発明の第１の実施形態である男性用パンツを示すもので、本体１の正面には、股の縫い目中央である股間部２を中心として左右を対称に形成し、中央に開閉自在で垂直の線状開口部３を形成している。この線状開口部３の上端は、ゴム紐を装入して伸縮する履き口４の近傍に及び、下端は股間部２に至る長さを有している。線状開口部３はその周縁を通常の縫製作業で縫着し、普段は閉じられている。
【００１０】
線状開口部３の前面には帯状片５を取り付けている。帯状片５は線状開口部３の下端、すなわち股間部２に基部５ａを縫い付けて固定し、上部は無支持自由端でその長さは、線状開口部３の中程辺り迄で、上端の裏側には、本体１の表面と着脱する布製テープ６を縫着している。布製テープ６は各種面ファスナー（マジックテープ）であり、本来雌雄の対向面が接合して閉じられるため本体１側にも布製テープ６ａが存在するところ、片側のみでも固着性のある素材を利用することで本体１の生地に布製テープ６を直接密着できる。帯状片５を本体１の表面から引き離すのを容易にするためにも、布製テープ６は本体１に軽く密着させておくほうが好ましい。
【００１１】
本体１の股間部２に固着した基部５ａを支点に帯状片５を引き上げて上端を本体１の表面に貼付すると、裏側の布製テープ６が本体１に密着固定して帯状片５が線状開口部３の前面を覆い、排尿時に布製テープ６を本体１より引きはがして基部５ａを支点に帯状片５を前方へ傾倒させると線状開口部３の前面は開放されて線状開口部３の全体が露出する。
【００１２】
普段は布製テープ６を本体１に密接して帯状片５を線状開口部３の前面にカバーしておき、排尿時には帯状片５を前方へ取外すようにすると布製テープ６が本体１から容易に離脱して帯状片５は基部５ａを支点に傾倒し、線状開口部３はおのずから露出して指先をあてがえば簡単に開くのでペニスを直ちに取り出すことができる。線状開口部３は股間部２まで形成されているため、従来のパンツのように一旦上側に引き出す手間がかゝらず、また手をサイドから差し入れる必要がないので迅速な取り出しができる。帯状片５は線状開口部３の中ほどまでの長さとすることで取り外しが容易となり、また取り付けも迅速に行い得る。人によってはパンツの着装に差があるが、線状開口部３は履き口４の近傍まで形成されているので帯状片５が本体１に密接している状態でも上部は開口可能でその部分よりペニスの取り出しができる。つまりペニスは絶えず本体１の正面中心部より出し入れされるとともに、上下のどの位置からも線状開口部３が開口できて遅滞なく排尿できる。なお帯状片５の長さを線状開口部３と等長としてもよく、その場合帯状片５を本体１に貼付したまゝ、少しく引き出せば線状開口部３が開いて帯状片５のサイドからペニスを容易に出し入れできる。
【００１３】
図２は本発明の第２の実施形態である男性用パンツを示すもので、両足の長い本体１１の正面には股の中央である股間部１２を中心として左右を対称に形成し、中央に開閉自在で垂直の線状開口部１３を形成している。線状開口部１３の上端は本体頂部の履き口４の近傍に及び、下端は股間部１２に至る長さを有している。線状開口部１３は周縁を通常の縫製作業で縫着し、普段は閉じられている。
【００１４】
線状開口部１３の前面にはカバー片１５を取り付ける。カバー片１５は線状開口部１３と略等長で本体１１と同じ生地で形成し、中心部の左側（図では右側）に基部１５ａを縫着固定するとその部分を支点に水平方向に開閉できる。通常は閉じた状態にあるカバー片１５が、基部１５ａを支点に反転させることにより前面が開放されて線状開口部１３は露出し、閉じると線状開口部１３はカバーされて外見されなくなる。カバー片１５の裏側周縁部である上下端及び先端には着脱自在の布製テープ１６が縫着され、カバー片１５を本体１１に密着固定する。布製テープ１６は、前記第１の実施形態同様に、本体１１の表面に直接固着できる素材の面ファスナー（マジックテープ）を用いることができ、それによってカバー片１５を本体１１から容易に引き離すことができて線状開口部１３が速やかに開口されるが、本体１１側にも布製テープ１６と咬合する布製テープ１６ａを固着しておくことで、本体１とカバー片１５の密着がより確実となる。
【００１５】
本体１１は足長形状のため股引等の下着は勿論、通常のズボンとしての使用に好適し、その場合第１の実施形態で示したパンツ（内部パンツ）と併用することが望ましい。すなわち布製テープ１６が本体１１に貼付されてカバー片１５が線状開口部１３の前面を閉じた状態から基部１５ａを支点に反転して開かれると、線状開口部１３の前面は開放されていつでも左右への開口が可能となる。本体１１内部に前記した実施形態１のパンツを履いた状態で排尿時に帯状片５を本体１より取り外すと外側パンツの本体１１の線状開口部１３から帯状片５を図示のように前方へと傾倒でき、したがって内部パンツの本体１のペニスが内側の線状開口部３から外側パンツの線状開口部１３を通って直ちに外部へと取り出すことができる。
【００１６】
そして排尿後はペニスを本体１１の線状開口部１３から本体１の線状開口部３内へと没入させ、然るのち帯状片５を引き上げて本体１に貼付し、またカバー片１５を閉じて本体１１に貼付すると、本体１と本体１１の線状開口部３，１３が帯状片５とカバー片１５によって夫々覆われるので内外のパンツは外観上通常のパンツと何ら変わらない体裁を保つ。
【００１７】
【発明の効果】
請求項１のパンツは、本体正面の中心部に形成した線状開口部が、ペニス出し入れの際に左右に開閉する構造で、従来パンツのように開口部が重ね合わさるものではないため開口部所在に手間取ったりその際ペニスを手探りで取り出すといった手数がかゝらず、尿意を覚えた時に可及的迅速に排尿ができ、我慢による苦痛や漏れを未然に防止できる。
【００１８】
線状開口部は股間部から履き口近傍に至る長さがあり、特に股間部近くに位置するペニス先端が速やかに取り出せるとともに、履き具合により、又はペニスの形状長さによって上部からの出し入れにも都合がよく、また帯状片は上端裏側の布製テープにより本体との係脱が容易でボタン式のような煩わしさがなく着脱操作が頗る簡単であり、前立腺等の疾患、老齢や障害による頻尿等に適切に対応でき、帯状片によって線状開口部はカバーされるので内部が見えるおそれはなく体裁もよい。
【００１９】
請求項２のパンツも前面に形成した線状開口部が左右に開き、ペニスの取り出しが迅速にできる点で請求項１と同様の効果が所期され、特に内部パンツと併用することで一層利便性が促進される。すなわち本体の中心部に取り付けてあるカバー片を開くと正面の線状開口部が顕われ、該線状開口部は股間部まで大きく形成されているため内部パンツの線状開口部に貼付している帯状片を外側まで引き出すことができてペニスを遅滞なく取り出すことができる。
【００２０】
カバー片は本体の中心部を境に左右いずれかに基部を固着して水平方向に開閉できる構成であり、しかも裏側周縁部に着脱自在の布製テープを取り付けて反対側の本体表面や本体側の布製テープに容易に貼付でき、布製テープを剥がす操作のみでカバー片は反転できるため開閉作業が頗る容易であり、本体と同材とすることで正面に取り付けても違和感がなく、股引のような下着は勿論、室内外用、運動用のパンツとして素材を選ばず広範な利用に供することができる。
【図面の簡単な説明】
【図１】本発明の第１の実施形態であるパンツの概略を示し、（ａ）は中心部に線状開口部を形成した正面図、（ｂ）は線状開口部の前面に帯状片を貼付した正面図、（ｃ）は同上の側面図、（ｄ）は線状開口部の前面より帯状片を開いた正面図、（ｅ）は同上の側面図である。
【図２】本発明の第２の実施形態であるパンツの概略を示し、（ａ）は正面図、（ｂ）はカバー片を開いて内部パンツの帯状片を引き出した正面図である。
【符号の説明】
１、１１  本体
２、１２  股間部
３、１３  線状開口部
４、１４  履き口
５  帯状片
５ａ、１５ａ  基部
６、１６  布製テープ
６ａ，１６ａ  布製テープ
１５  カバー片
【図１】
2004270117.tif 000003
【図２】
2004270117.tif 000004